(57)【特許請求の範囲】
【請求項１】
後部に取付部を設け前部を相手側コネクタとの嵌合部とした本コネクタを、被取付体に形成したコネクタ取付孔に前記取付部を挿し込むことにより取り付け、電装品を備えた相手側コネクタを前記本コネクタに結合すると共に、前記電装品に設けたボルトにナットを螺合することにより前記電装品を前記被取付体に押し付け、前記本コネクタに取り付けたグロメットを前記被取付体側に付勢して前記コネクタ取付孔の周囲を前記グロメットにより防水するコネクタの取付構造であって、前記本コネクタは、接続端子を収容し前記相手側コネクタと結合するコネクタ本体と、該コネクタ本体に周設し前記グロメットを取り付けるためのフランジと、前記コネクタ本体から突出し前記コネクタ本体を前記コネクタ取付孔に移動自在に取り付ける前記取付部とを備え、前記グロメットは、前記フランジに密に嵌合し、前記電装品を前記本コネクタに結合して前記被取付体に押し付けた際に前記コネクタ取付孔を囲んで前記被取付体に圧接する環状突起を有することを特徴とするコネクタの取付構造。
【請求項２】
前記グロメットに前記環状突起と同様の作用をする第２の環状突起を前記環状突起の外周に設けた請求項１に記載のコネクタの取付構造。
【請求項３】
前記被取付体と前記本コネクタは、前記本コネクタの上下を決めるための手段を備えた請求項１又は２に記載のコネクタの取付構造。
【請求項４】
前記本コネクタは前記取付部を保護するための保護部を備えた請求項１〜３の何れか１つの請求項に記載のコネクタの取付構造。
【発明の詳細な説明】
【０００１】
【発明の属する技術分野】
本発明は、パネル等の被取付体のコネクタ取付孔にコネクタを移動自在に取り付け、コネクタ取付孔の隙間をグロメットにより防水するコネクタの取付構造に関するものである。
【０００２】
【従来の技術】
従来、例えば自動車のドアパネル等の被取付体にランプユニット等の電装品を取り付ける際には、被取付体側のコネクタと電装品側のコネクタを結合することが必要とされる。このため、被取付体側のコネクタを可動コネクタとしてパネルに直接取り付け、電装品をパネルに取り付ける際に、被取付体側のコネクタを移動させて電装品側のコネクタと自動的に結合することも試みられている。
【０００３】
【発明が解決しようとする課題】
しかしながら、自動車ドアは一般にシーリングスクリーンにより防水されているだけであるため、コネクタを被取付体に直接取り付けた場合には、シーリングスクリーンだけでは十分に防水することが困難であるという問題点がある。
【０００４】
本発明の目的は、上述した問題点に鑑み、被取付体のコネクタ取付孔の隙間を十分に防水し得るコネクタの取付構造を提供することにある。
【０００５】
【課題を解決するための手段】
上記目的を達成するための本発明に係るコネクタの取付構造は、後部に取付部を設け前部を相手側コネクタとの嵌合部とした本コネクタを、被取付体に形成したコネクタ取付孔に前記取付部を挿し込むことにより取り付け、電装品を備えた相手側コネクタを前記本コネクタに結合すると共に、前記電装品に設けたボルトにナットを螺合することにより前記電装品を前記被取付体に押し付け、前記本コネクタに取り付けたグロメットを前記被取付体側に付勢して前記コネクタ取付孔の周囲を前記グロメットにより防水するコネクタの取付構造であって、前記本コネクタは、接続端子を収容し前記相手側コネクタと結合するコネクタ本体と、該コネクタ本体に周設し前記グロメットを取り付けるためのフランジと、前記コネクタ本体から突出し前記コネクタ本体を前記コネクタ取付孔に移動自在に取り付ける前記取付部とを備え、前記グロメットは、前記フランジに密に嵌合し、前記電装品を前記本コネクタに結合して前記被取付体に押し付けた際に前記コネクタ取付孔を囲んで前記被取付体に圧接する環状突起を有することを特徴とする。
【０００６】
【発明の実施の形態】
本発明を図示の実施例に基づいて詳細に説明する。
図１は第１の実施例の斜視図であり、例えば自動車ドアのインナパネル１等の被取付体に取り付ける前のコネクタ２とグロメット３を示し、グロメット３の一部を切欠して示している。また、図２はパネル１にコネクタ２を取り付けると共に、コネクタ２の周囲をグロメット３により防水防滴した状態を示す断面図、図３はコネクタ２の平面図である。
【０００７】
パネル１にはコネクタ２を取り付けるためのコネクタ取付孔４と、図示しないドアランプ等の電装品を取り付けるための電装品取付孔５、６とが設けられている。コネクタ取付孔４は水平部４ａ、４ｂと垂直部４ｃ、４ｄを有する十字形とされ、一方の水平部４ａの水平方向の長さは他方の水平部４ｂよりも大きくされている。
【０００８】
コネクタ２の方体状のコネクタ本体１１は、図示しない電線付の接続端子を収容すると共に、電装品側の相手側コネクタと結合するようにされている。コネクタ本体１１の前端には、相手側コネクタの端子を挿通する複数の端子挿通孔１２が設けられおり、コネクタ本体１１の後端部にはフランジ部１３が設けられ、このフランジ部１３の面積は左側つまりコネクタ取付孔４の水平部４ａに対向する側が広くされている。
【０００９】
また、コネクタ本体１１の後部には、コネクタ本体１１をコネクタ取付孔４に例えば上下動自在に取り付けるための取付片１４、１５が、コネクタ本体１１の軸心に対して上下対称に設けられている。取付片１４、１５には、コネクタ本体１１の後面から水平に突出する支持部１４ａ、１５ａと、これらの支持部１４ａ、１５ａの後端から外方の斜後方に撓み自在に延在し、自由端１４ｂ、１５ｂがパネル１に係止する可撓係止部１４ｃ、１５ｃとがそれぞれ設けられている。
【００１０】
更に、コネクタ本体１１の後面の取付片１４、１５の間には、コネクタ本体１１の軸心を通りコネクタ取付孔４の水平部４ａ、４ｂに隙間を有して進入する中央突片１６が設けられている。この中央突片１６の左側は、コネクタ取付孔４の水平部４ａに進入する長尺部１６ａとされ、右側は水平部４ｂに進入する短尺部１６ｂとされている。これにより、コネクタ２がコネクタ取付孔４に上下の逆向きに取り付けられることが防止されている。
【００１１】
そして、中央突片１６の後部には、取付片１４、１５の可撓係止部１４ｃ、１５ｃを保護するための保護片１７が設けられている。保護片１７の支持部１７ａは中央突片１６の後端から軸心を通るように突設され、その厚さは中央突片１６の厚さと同一とされ、幅はコネクタ取付孔４の垂直部４ｃ、４ｄに進入し得る大きさとされている。支持部１７ａの後端には垂直部１７ｂが設けられ、垂直部１７ｂの幅は支持部１７ａと同一とされ、長さはコネクタ取付孔４の垂直部４ｃ、４ｄに進入する大きさとされている。垂直部１７ｂの上下端には案内部１７ｃ、１７ｄが突設され、保護片１７をコネクタ取付孔４の垂直部４ｃ、４ｄに容易に案内すると共に、その際に保護片１７は取付片１４、１５を保護するようになっている。
【００１２】
また、フランジ部１３の後面の取付片１４、１５の上下には、グロメット３の内周面に当接すると共にパネル１に当接する上下突片１８、１９が、中央突片１６と平行に設けられている。これらの上下突片１８、１９の横幅は、中央突片１６の横幅と同一とされ、上下突片１８、１９の突出幅は、パネル１にコネクタ２が取付片１４、１５により取り付けられたとき、上下突片１８、１９の端部とパネル１の間に若干の隙間を存在させる大きさとされている。
【００１３】
一方、グロメット３はゴム等の弾性体により形成され、その枠状のグロメット本体２１の孔部２２の周壁には、コネクタ２のフランジ部１３が密に嵌合される周溝２３が設けられている。また、グロメット本体２１の後面には、パネル１にコネクタ２を取り付けた際に、コネクタ取付孔４を囲むようにパネル１に当接する環状突起２４が設けられている。更に、グロメット本体２１の外周には、パネル１にコネクタ２を取り付けた際に、環状突起２４を間隔を置いて囲むようにパネル１に当接する環状片２５とが設けられている。そして、パネル１に電装品を取り付けた際には、環状突起２４はパネル１に強く圧接してパネル１と環状突起２４の間を防水するようになっている。
【００１４】
パネル１にコネクタ２を取り付ける際には、先ずコネクタ２のフランジ部１３をグロメット３の周溝２３に圧入することにより、コネクタ２にグロメット３を取り付ける。次に、パネル１のコネクタ取付孔４の水平部４ａと水平部４ｂに、中央突片１６の長尺部１６ａと短尺部１６ｂをそれぞれ合わせると共に、コネクタ取付孔４の垂直部４ｃ、４ｄに保護片１７の垂直部１７ｂを合わせて、コネクタ２をコネクタ取付孔４に押し込む。このとき、保護片１７の案内部１７ｃ、１７ｄが垂直部１７ｂをコネクタ取付孔４の垂直部４ｃ、４ｄに容易に案内し、垂直部１７ｂは取付片１４、１５を保護する。
【００１５】
コネクタ２をコネクタ取付孔４に更に押し込むと、取付片１４、１５の可撓係止部１４ｃ、１５ｃはパネル１の周壁に押圧されて内方に撓み、グロメット３の環状突起２４がパネル１に当接した際に、可撓係止部１４ｃ、１５ｃが復元して自由端部１４ｃ、１５ｃがパネル１にそれぞれ係止する。このとき、環状片２５の端部２５ａがパネル１に当接すると共に、図４の部分拡大図に示すように、上下突片１８、１９とパネル１の間には隙間Ｄが存在している。
【００１６】
このような状態で、電装品をパネル１に取り付けるための図示しないボルトをパネル１の電装品取付孔５、６に挿通しながら、電装品をパネル１側に押し付けると、コネクタ２は取付片１４、１５の可撓係止部１４ｃ、１５ｃの撓みによって上下に移動しながら電装品側の相手コネクタと結合する。そして、ボルトにパネル１の裏面から図示しないナットを螺合して締め付けると、コネクタ２がパネル１側に移動し、図５に示すように上下突片１８、１９がパネル１に当接すると共に、グロメット３の環状突起２４がパネル１に圧接する。
【００１７】
このように、第１の実施例ではパネル１にコネクタ本体１１を取付片１４、１５により移動自在に取り付けることができるので、コネクタ２は取付誤差を吸収して相手コネクタと結合することが可能になる。また、パネル１に電装品を取り付けた際にコネクタ２を押すと、グロメット３の環状突起２４がパネル１に圧接するので、パネル１と環状突起２４の間から水分がパネル１のドア内部から表側に流入することを防止できる。
【００１８】
実施例では、コネクタ取付孔４の一方の水平部４ａの水平方向の長さを他方の水平部４ｂよりも大きくし、コネクタの中央突片１６にも一方の水平部４ａに進入する長尺部１６ａと、他方の水平部４ｂに進入する短尺部１６ｂとを設けたので、パネル１にコネクタ２を取り付ける際に、コネクタ２の上下方向を誤ることがない。
【００１９】
図６は第２の実施例の断面図であり、上述したグロメット３とは異なるグロメット７がコネクタ２に取り付けられている。このグロメット７には第１の実施例の環状片２５が除かれ、環状突起２４と同様にパネル１に圧接する第２の環状突起２６が、環状突起２４を間隔を置いて囲むように設けられている。
【００２０】
この第２の実施例では、第１の実施例と同様な効果を得ることができる上に、第２の環状突起２６を環状突起２４と同様な強い力でパネル１に圧接することができるので、防水効果を第１の実施例よりも向上させることが可能になる。
【００２１】
【発明の効果】
以上説明したように本発明に係るコネクタの取付構造は、本コネクタの取付部が被取付体にコネクタ本体を移動自在に取り付けるので、被取付体に電装品を取り付ける際に本コネクタと相手側コネクタを容易に結合することができる。また、グロメットの嵌合部に本コネクタのフランジを密に嵌合すると共に、電装品を被取付体に取り付けた際に突起がコネクタ取付孔を囲むように被取付体に圧接するので、コネクタ取付孔の隙間を十分に防水することが可能になる。
【図面の簡単な説明】
【図１】パネルにコネクタとグロメットを取り付ける前の第１の実施例の斜視図である。
【図２】パネルにコネクタをグロメットと共に取り付けた部分断面図である。
【図３】コネクタの平面図である。
【図４】部分拡大図である。
【図５】作用説明図である。
【図６】パネルにコネクタをグロメットと共に取り付けた第２の実施例の断面図である。
【符号の説明】
１  パネル
２  コネクタ
３、７  グロメット
４  コネクタ取付孔
１３  フランジ部
１４、１５  取付片
１６  中央突片
１７  保護片
１８、１９  上下突片
２４  環状突起
２５  環状片
２６  第２の環状突起
【図１】
0003823124.tif 000002
【図２】
0003823124.tif 000003
【図３】
0003823124.tif 000004
【図４】
0003823124.tif 000005
【図５】
0003823124.tif 000006
【図６】
0003823124.tif 000007